(57)【要約】【課題】施工が簡単であるとともに耐久性に優れており、ポンプによる雨水の排出を省略することができ、さらにはメンテナンスが容易である雨水貯留システムを提供する。【解決手段】道路Ｒ脇に埋設された集水桝１と、この集水桝１と連通しており前記道路Ｒの縦断方向に沿って埋設された複数のプレキャスト高強度管又はプレキャスト高強度函２と、前記集水桝１に接続されており当該集水桝１内の雨水を外部に流出させるための流末管３とを備えている。  【選択図】      図１
2008267023.tif 000002
【特許請求の範囲】
【請求項１】
道路脇に埋設された集水桝と、この集水桝と連通しており前記道路の縦断方向に沿って埋設された複数のプレキャスト高強度管又はプレキャスト高強度函と、前記集水桝に接続されており当該集水桝内の雨水を外部に流出させるための流末管と、を備えたことを特徴とする雨水貯留システム。
【請求項２】
前記プレキャスト高強度管が台付管である請求項１に記載の雨水貯留システム。
【請求項３】
前記プレキャスト高強度管の端部が、開口部を有する蓋体で閉止されており、前記開口部に接続管の一端が接続されており、この接続管の他端が、前記蓋体に隣接する他のプレキャスト高強度管又は集水桝に接続されている請求項１又は２に記載の雨水貯留システム。
【請求項４】
前記蓋体の開口部に、中空の截頭円錐状の固定具が配設されており、当該固定具は、径小部が外方を向くように、その径大部が前記開口部に固定されている請求項３に記載の雨水貯留システム。
【請求項５】
前記接続管の端部にオリフィス部が設けられている請求項３又は４に記載の雨水貯留システム。
【請求項６】
前記流末管の集水桝側端部にオリフィス部が設けられている請求項１〜５のいずれかに記載の雨水貯留システム。
【請求項７】
前記オリフィス部が中空円すい状のオリフィス本体を備えており、このオリフィス本体の少なくとも先端付近が切断可能に形成されており、且つ、切断により形成される開口がオリフィスを構成する請求項５又は６に記載の雨水貯留システム。
【請求項８】
前記集水桝内にオーバーフロー機構が配設されており、このオーバーフロー機構は、前記集水桝内に立設されており、上端にオーバーフロー皿を有する縦管と、この縦管の下部に形成され、前記流末管が接続される流出口と、前記縦管の下部に接続されており、集水桝内の雨水が流入し得る流入管とを備えており、この流入管の開口端にオリフィスが設けられている請求項１〜５のいずれかに記載の雨水貯留システム。
【請求項９】
前記集水桝及び／又はプレキャスト高強度管に、雨水を地中に浸透させるための透水口が複数形成されている請求項１〜８のいずれかに記載の雨水貯留システム。
【請求項１０】
勾配を有する道路下に配設される雨水貯留システムであって、
道路脇に埋設された複数の集水桝と、
隣接する集水桝間において道路の縦断方向に沿って埋設された複数のプレキャスト高強度管又はプレキャスト高強度函と、
前記集水桝に接続されており当該集水桝内の雨水を外部に流出させるための流末管と、
前記集水桝内に配設されたオーバーフロー機構と
を備えており、
前記オーバーフロー機構は、前記集水桝内に立設されており、上端にオーバーフロー皿を有する縦管と、この縦管の下部に形成され、前記流末管が接続される流出口とを備えており、
前記複数のプレキャスト高強度管又はプレキャスト高強度函の内部と、当該複数のプレキャスト高強度管又はプレキャスト高強度函の下流側に設けられる集水桝内の前記縦管内部とが配管により連通状態にされていることを特徴とする雨水貯留システム。
【請求項１１】
前記配管内、又は当該配管と前記縦管との接続部にオリフィス部が設けられている請求項１０に記載の雨水貯留システム。
【発明の詳細な説明】
【技術分野】
【０００１】
本発明は雨水貯留システムに関する。さらに詳しくは、道路上の雨水を一時的に貯留する雨水貯留システムに関する。
【背景技術】
【０００２】
集中豪雨により短時間の間に多量の雨水が河川に流入して当該河川が氾濫するのを防ぐために、前記雨水を一時的に貯留して、徐々に河川に放流するか又は土壌中に浸透させる雨水貯留システムが提案されている。
前記雨水貯留システムのうち、主として市街地に降る雨を対象とするものに、道路の側溝から雨水を取り込むタイプ（例えば、特許文献１参照）と、道路を透水性材料で舗装し、この舗装部を通して直接雨水を道路下方に埋設された貯留槽に取り込むタイプ（例えば、特許文献２参照）とが知られている。
【０００３】
特許文献１記載の雨水流出抑制排水路構造は、ブロックを連設して形成した排水路（暗渠）と、この排水路に併設され、複数の充填部材を連設した浸透渠部とを備えており、前記排水路と浸透渠部の間には、前記排水路内の雨水を浸透渠部へ流出可能な連通部が設けられている。また、前記充填部材はポリプロピレンなどの合成樹脂で作製されており、雨水を一定方向に流すために、水平面に対して一定角度で傾斜する傾斜面を有している。
【０００４】
また、特許文献２記載の雨水貯留槽は、透水性舗装部の下方に貯留槽を複数段上下方向に設置し、各貯留槽は上方から下方へ雨水が順次流下できるように連結配管で連結されている。そして、最下部の貯留槽に溜まった雨水をポンプにより前記舗装部に散水するための配管が設けられている。
【０００５】
さらに、前記両タイプとは異なるが、道路下方又は道路から離れた空き地などの地中に貯留タンクを形成し、降雨時に前記貯留タンクに一旦雨水を貯留し、徐々にタンク内の雨水を河川などに流出させることが知られている。
【０００６】
【特許文献１】特開２００６−２７４６２８号公報
【特許文献２】特開２００６−２２５８６１号公報
【発明の開示】
【発明が解決しようとする課題】
【０００７】
しかしながら、特許文献１記載の構造では、充填部材として合成樹脂製品を用いていることから、耐久性及び強度の点において信頼性に欠けるとともに、一旦地中に埋設するとメンテナンスがほとんど不可能であり、道路のような永久構造物には不向きである。
また、特許文献２記載の雨水貯留槽は、現状の道路を改築して雨水貯留槽を形成する場合、舗装全体を改築する必要があるので、施工量が多くなりコストが高くつく。また、透水舗装の目詰まりにより長年の使用により性能が低下してしまう。さらに、一旦施工してしまうとメンテナンスすることができない。
【０００８】
さらに、地中に貯留タンクを埋設する場合、流末管の埋設深さにもよるが、タンク内の雨水を排出するためのポンプが必要となるケースがほとんどであり、ポンプ設置に伴うイニシャルコスト、及び維持、管理も含めたランニングコストがかかる。
【０００９】
本発明は、このような事情に鑑みてなされたものであり、施工が簡単であるとともに耐久性に優れており、ポンプによる雨水の排出を省略することができ、さらにはメンテナンスが容易である雨水貯留システムを提供することを目的としている。
【課題を解決するための手段】
【００１０】
本発明の第１の観点に係る雨水貯留システムは、道路脇に埋設された集水桝と、この集水桝と連通しており前記道路の縦断方向に沿って埋設された複数のプレキャスト高強度管又はプレキャスト高強度函と、前記集水桝に接続されており当該集水桝内の雨水を外部に流出させるための流末管と、を備えたことを特徴としている。
【００１１】
本発明の第１の観点に係る雨水貯留システムでは、道路の縦断方向に沿って複数のプレキャスト高強度管又はプレキャスト高強度函（以下、これらを代表して単に「高強度管」ともいう）が埋設されており、この高強度管内に前記集水桝を介して雨水が流入し貯留される。この高強度管は、一般のフューム管などに比べて高強度であるので、土被りを浅くすることができる。すなわち、埋設深さを浅くすることができるので、貯留した雨水を河川などに排出するための流末管の埋設深度が浅くても、自然流下により雨水を排出することができる。したがって、ポンプアップが不要となり、ポンプ設置に伴うイニシャルコスト、及び維持、管理も含めたランニングコストが不要となる。また、管設置のための施工量（掘削量）が少なくて済むので施工コストを抑えることができる。
【００１２】
さらに、埋設深さが浅いことから、既設の埋設物との干渉の可能性が小さいので工事が容易であり、また、管内のメンテナンスも容易である。
また、管の内径や埋設数を選定することで必要な雨水貯留量に合わせた設計を容易に行うことができる。
また、道路の縦断方向に沿って埋設した複数の管を貯留スペースとするので、施工幅を小さくすることができ、その結果、既設埋設物の多い歩道側を避けて施工するするとともに施工時の規制範囲を小さくすることができる。
【００１３】
前記プレキャスト高強度管が台付管であるのが好ましい。台付管は、台の部分が平坦な面であるので、砕石からなる基礎の上に載置するだけで設置工事が完了し、施工が容易である。また、掃流力が高く、土砂の堆積が少なく且つ止水性能に優れているという利点がある。
【００１４】
前記プレキャスト高強度管の端部が、開口部を有する蓋体で閉止されており、前記開口部に接続管の一端が接続されており、この接続管の他端が、前記蓋体に隣接する他のプレキャスト高強度管又は集水桝に接続されているのが好ましい。この場合、プレキャスト高強度管の端部を蓋体で閉止することで、当該プレキャスト高強度管を簡単にタンク（雨水貯留部）にすることができる。また、プレキャスト高強度管同士の接続は、前記蓋体に形成された開口部をつなぐ接続管により行われ、その結果、前記プレキャスト高強度管を横断する埋設物が存在しても、これを容易にかわすことができる。
【００１５】
前記蓋体の開口部に、中空の截頭円錐状の固定具が配設されており、当該固定具は、径小部が外方を向くように、その径大部が前記開口部に固定されているのが好ましい。この構成によれば、固定具の径小側の開口に接続管を挿入し、この固定具の径小側端部と接続管を固定することにより、簡単に接続管を蓋体の開口部に接続することができる。
【００１６】
前記接続管の端部にオリフィス部が設けられているのが好ましい。これにより、高強度管からの雨水の流出速度を調整することができる。
前記流末管の集水桝側端部にオリフィス部が設けられているのが好ましい。これにより、河川などへの雨水の排出速度を調整することができる。
【００１７】
前記オリフィス部が中空円錐状のオリフィス本体を備えており、このオリフィス本体の少なくとも先端付近が切断可能に形成されており、且つ、切断により形成される開口がオリフィスを構成するのが好ましい。この構成によれば、オリフィス本体の切断箇所を変えることにより、オリフィスの開口の大きさを調整することができる。したがって、雨水貯留システムの設置場所の降雨量、雨水排出先の河川などのキャパシティーなどに応じて適切な排出速度を設定することができる。また、一旦施工した後でも、状況に応じて、容易にオリフィスの開口の大きさを調整することができる。さらに、清掃のために取り外すことができるので、清掃作業が容易になる。
【００１８】
前記集水桝内にオーバーフロー機構が配設されており、このオーバーフロー機構は、前記集水桝内に立設されており、上端にオーバーフロー皿を有する縦管と、この縦管の下部に形成され、前記流末管が接続される流出口と、前記縦管の下部に接続されており、集水桝内の雨水が流入し得る流入管とを備えており、この流入管の開口端にオリフィスが設けられているのが好ましい。この場合、集水桝内の雨水は、降雨量が少ないときは、集水桝内に立設された縦管の下部に接続された、オリフィス付きの流入管より流末管に徐々に排出される。一方、降雨量が多くなり、前記オリフィスを経由しての排出では集水桝内の雨水が一杯になり路面上に逆流する惧れがあるときは、前記縦管の上端に設けられたオーバーフロー皿から雨水が流末管に排出される。これにより、前述した路面上への雨水の逆流を防止することができる。
【００１９】
前記集水桝及び／又は高強度管に、雨水を地中に浸透させるための透水口を複数形成することができる。この場合、前記透水口より集水桝や高強度管内の雨水を地中に浸透させることができ、河川や下水などへの雨水排出量を減らすことができる。
【００２０】
また、本発明の第２の観点に係る雨水貯留システムは、勾配を有する道路下に配設される雨水貯留システムであって、
道路脇に埋設された複数の集水桝と、
隣接する集水桝間において道路の縦断方向に沿って埋設された複数のプレキャスト高強度管又はプレキャスト高強度函と、
前記集水桝に接続されており当該集水桝内の雨水を外部に流出させるための流末管と、
前記集水桝内に配設されたオーバーフロー機構と
を備えており、
前記オーバーフロー機構は、前記集水桝内に立設されており、上端にオーバーフロー皿を有する縦管と、この縦管の下部に形成され、前記流末管が接続される流出口とを備えており、
前記複数のプレキャスト高強度管又はプレキャスト高強度函の内部と、当該複数のプレキャスト高強度管又はプレキャスト高強度函の下流側に設けられる集水桝内の前記縦管内部とが配管により連通状態にされていることを特徴としている。
【００２１】
本発明の第２の観点に係る雨水貯留システムでは、複数の高強度管の内部と、当該複数の高強度管の下流側に設けられる集水桝内のオーバーフロー機構を構成する縦管内部とが配管により連通状態にされている。このため、集水桝内に流れ込んだ雨水は、当該集水桝に接続された下流側の高強度管内に流れ込み、この雨水は、前記配管を経由して前記高強度管の下流側の集水桝内のオーバーフロー機構を構成する縦管内に流れ、さらにこの縦管に接続された流末管より河川や下水に放流される。雨水の量が多くなると徐々に高強度管内に溜まっていき、設定された貯留量を超えて雨水が集水桝内に流れ込むと、流入した雨水は、前記縦管の上端のオーバーフロー皿より直接流末管に排出されるので、道路が雨水により冠水することがない。
【００２２】
前記配管内、又は当該配管と前記縦管との接続部にオリフィス部が設けられているのが好ましい。この場合、河川などへの雨水の排出速度を調整することができる。
【発明の効果】
【００２３】
本発明の雨水貯留システムによれば、施工が簡単であるとともに耐久性に優れており、ポンプによる雨水の排出を省略することができ、さらにはメンテナンスが容易である。
【発明を実施するための最良の形態】
【００２４】
以下、添付図面を参照しつつ、本発明の雨水貯留システムの実施の形態を詳細に説明する。
図１は本発明の一実施の形態に係る雨水貯留システムの平面説明図であり、図２〜４は、それぞれ図１のＡ−Ａ線断面図、Ｂ−Ｂ線断面図及びＣ−Ｃ線断面図である。図１〜４に示される雨水貯留システムＳは、市街地における道路及びその近辺に降った雨水を一時的に貯留して、徐々に河川などに放流するシステムであり、道路Ｒの脇に埋設された集水桝１と、この集水桝１と連通しており前記道路Ｒの縦断方向に沿って埋設された複数のプレキャスト高強度管である台付管２と、前記集水桝１に接続されており当該集水桝１内の雨水を外部に流出させるための流末管３とで主に構成されている。なお、高強度管の種類は本発明において特に限定されるものではなく、０〜１００ｃｍ程度の土被りにて路面下への埋設が可能であるかぎり、前記台付管２以外にも、例えば重圧管、ＣＳＢ管などを採用することができる。
【００２５】
道路Ｒは、歩車道境界ブロック４によって区分された車道５及び歩道６からなっており、前記歩車道境界ブロック４の車道側側面４ａの下端には、車道５表面を流れてきた雨水を集水するための集水スリット８が所定間隔で形成されている。この集水スリット８は、前記歩車道境界ブロック４内において道路Ｒの縦断方向に沿って配設された集水管９に接続されており、この集水管９の端部は前記集水桝１内に開口している。
【００２６】
集水桝１は、車道５の歩道６側端部付近において道路Ｒの縦断方向に沿って所定間隔で配置（埋設）されている。この集水桝１は、コンクリート製の箱状又は円筒状構造物であり、その上部開口にはグレーチング蓋１０が嵌め込まれている。道路Ｒの車道５上の雨水は、前記グレーチング蓋１０を経由して、並びに前記集水スリット８及び集水管９を経由して集水桝１内に集められる。そして、この集められた雨水は、前記台付管２からなる貯留タンク内に一旦貯留された後に、前記集水桝１の歩道側の側壁に接続された流末管３を経由して河川などに徐々に排出される。
【００２７】
台付管２は、図２〜４に示されるように、管外周面において軸方向に沿って台部１１が形成されており、管の横断方向の断面が略馬蹄形を呈している。台付管１は、前記台部１１が形成されていることから、円筒状の一般的なフューム管などに比べて高強度であり、道路Ｒ下に埋設するに際し、埋設深さを浅くすることができる。したがって、前記流末管３の埋設深さが比較的浅い場合であっても、ポンプを用いることなく自然流下により雨水を排出することができる。また、管設置のための施工量（掘削量）が少なくて済むので施工コストを抑えることができる。さらに、埋設深さが浅いことから、既設の埋設物との干渉の可能性が小さいので工事が容易であり、また、管内のメンテナンスも容易である。
【００２８】
前記台付管２は、前述したように、道路Ｒの縦断方向に沿って複数配設され、その内部を雨水の貯留スペースとするものであるが、台付管２の数やサイズ（内径、長さ）は、必要とする雨水の貯留量に応じて適宜選定することができる。換言すれば、台付管２の数やサイズを選定することで必要な雨水貯留量に合わせた設計を容易に行うことができる。また、管体を道路Ｒの縦断方向に沿って配設することで雨水の貯留スペースとしているので、雨水の貯留スペース形成のための施工幅を小さくすることができ、その結果、既設埋設物の多い歩道側を避けて施工するするとともに施工時の交通規制の範囲を小さくすることができる。なお、一般的な道路の場合、使用される台付管２の内径は５００〜１２００ｍｍ程度であり、また、長さは２０００〜２５００ｍｍ程度である。
【００２９】
前記台部１１は、管の長手方向に沿った平坦な底面１１ａを有しており、図２に示されるように、前記底面１１ａを、砕石などからなる基礎１２の上に打設されたレベリング用のモルタル７上に載置するだけで台付管２の設置工事が完了することから、施工が容易であるという利点がある。また、前記台付管１は、従来、下水管として利用されているものであり、掃流力が高く、土砂の堆積が少ないという利点もある。
【００３０】
図５に示されるように、台付管２の一方の端部には、内周面にガスケット１３が埋設されたメス部２ａが形成されており、他方の端部にはオス部２ｂが形成されている。そして、前記オス部２ｂをメス部２ａに挿入することで、複数の台付管２を直接接続することができる（図６参照）が、図５に示されるように、前記台付管２の端部を、例えばプレキャストコンクリートからなる蓋体１５で閉止し、この蓋体１５に形成された開口部１４を介して複数の台付管２を連通状態にすることもできる。この場合、メス部２ａが形成された側の端部は、ソケット用の蓋体１５ａで閉止され、オス部２ｂが形成された側の端部はスピゴット型の蓋体１５ｂで閉止される。なお、前記スピゴット用の蓋体１５ｂの内周面にも前記メス部２ａと同様にガスケット１６が埋設されている。このように、台付管２の端部を蓋体１５で閉止することにより、当該台付管を簡単に雨水貯留用のタンクとすることができる。
【００３１】
前記蓋体１５ａ、１５ｂの円形の開口部１４には、図７に示されるように、中空の截頭円錐状の固定具１７が配設されている。この固定具１７は、ゴムなどの可撓性を有する材料で作製されており、径小部が外方（蓋体１５ａ、１５ｂにより閉止される台付管２から離間する方向）を向くように、その径大部が前記開口部１４に固定されている。より詳細には、前記固定具１７の径大側の端縁には、前記開口部１４の内周面１４ａに当接し得る外径を有する短円筒形状の固定リング部１７ａが軸方向に沿って延設されており、一方、固定具１７の径小側の端縁には、同じく短円筒形状の固定リング部１７ｂが軸方向に沿って延設されている。そして、前記固定リング部１７ａは前記開口部１４の内周面１４ａに拡張バンドにより固定される。
【００３２】
蓋体１５により開口端が閉止された台付管２同士は、接続管１８により接続される。この接続管１８は、例えば塩ビ管、台付管、フューム管などで構成することができ、図７に示されるように、その端部を前記固定具１７の固定リング１７ｂ内に挿入して、当該固定リング部１７ｂをホースクランプなどにより接続管１８の外周面に固定することで、蓋体１５に簡単に接続することができる。台付管２同士の接続を接続管１８により行うことで、図８に示されるように、前記台付管２を横断する下水横断管や電線管などの干渉物１９が地中に存在しても、容易に当該干渉物１９を回避させることが可能となる。
また、台付管２は、前述したように平坦な底面１１ａを有していることから、設置時におけるレベリングが比較的容易であり、また、前記接続管１８により集水桝１や隣接する台付管２に接続可能であることから、平坦な道路Ｒだけでなく、図９に示されるような、傾斜した道路Ｒにおいても簡単に施工することができる。
【００３３】
前記接続管１８の端部には、図７に示されるように、オリフィス部２０が設けられており、このオリフィス部２０は、中空円錐状のオリフィス本体２１と、このオリフィス本体２１の底面に配設されるごみよけ用のネット２２とを備えている。かかるオリフィス部２０を設けることにより、台付管２からの雨水の流出速度を調整することができる。
【００３４】
前記オリフィス本体２１は、ポリエチレンやＡＢＳなどの合成樹脂や、ＳＢＲやＥＰＤＭゴムなどにより、少なくとも先端付近が現場にて容易に切断できるように作製されている。これにより、オリフィス本体２１の先端付近を切断することでオリフィスの開口の大きさを調整することができ、雨水貯留システムの設置場所の降雨量、雨水排出先の河川や下水などのキャパシティーなどに応じて適切な速度を設定することができる。前記オリフィスの開口は、一般的な道路の場合、例えば３０〜１００ｍｍの範囲で調整される。
なお、前記オリフィス部２０は、接続管１８の端部内に着脱自在に配設するのが好ましく、これにより、オリフィス部２１の清掃を容易に行うことができ、また、一旦施工した後でも、状況に応じて、容易にオリフィスの開口の大きさを調整することができる。
【００３５】
前記集水桝１内の雨水は、流末管３を経由して河川などに排出されるが、徐々に雨水を排出するために、本実施の形態では、流末管３の集水桝１側端部内にオリフィス部３０が配設されるか（図３参照）、又は集水桝１内にオリフィスを有するオーバーフロー機構４０が配設されている（図４、１０及び１１参照）。
【００３６】
図３に示される例では、流末管３が集水桝１の歩道側側壁に形成された開口部に接続されており、この流末管３の接続端内部にオリフィス部３０が取り外し自在に配設されている。このオリフィス部３０は、中空の截頭円錐状のオリフィス本体３１と、このオリフィス本体３１の径小側端部に固定される有底の短円筒状のカバー３２と、このカバー３２の開口端に設けられたフィルター部３３とで構成されている。前記カバー３２は、フィルター部３３が設けられた側から前記オリフィス本体３１の径小側の開口に挿入され当該オリフィス本体３１に固定される。また、カバー３２の底面３２ａには、オリフィスとして機能する直径３０〜１００ｍｍ程度の孔３４が形成されている。この例では、集水桝１内の雨水は、前記オリフィス部３０を経由して徐々に河川などに排出され、その際、雨水に含まれるごみは前記フィルター部３３により捕捉される。
【００３７】
図４、１０及び１１に示される例では、オリフィスを有するオーバーフロー機構４０が集水桝１内に配設されている。このオーバーフロー機構４０は、集水桝１内に立設されており、上端にオーバーフロー皿４１を有する縦管４２と、この縦管４２の下部に形成され、前記流末管３が接続される流出口４３と、前記縦管４２の下部に接続されており、集水桝１内の雨水が流入し得る流入管４４とを備えており、この流入管４４の開口端は、オリフィスとして機能する直径３０〜１００ｍｍ程度の孔４５が形成された蓋４６で閉止されている。この場合、集水桝１内の雨水は、降雨量が少ないときは、図１０に示されるように、前記孔４５から流入管４４内に流れ込み、流出口４３を経て流末管３に徐々に排出される。一方、降雨量が多くなり、前記孔４５を経由しての排出では集水桝１内の雨水が一杯になり路面上に逆流する惧れがあるときは、図１１に示されるように、前記縦管４２の上端に設けられたオーバーフロー皿４１から雨水が直接縦管４２内に流れ込み、流出口４３を経て流末管３に排出される。これにより、前述した路面上への雨水の逆流を防止することができる。
【００３８】
図１２〜１４は、本発明の他の実施の形態に係る雨水貯留システムを示しており、この雨水貯留システムは勾配を有する道路下に配設される。前記雨水貯留システムは、道路脇に埋設された複数の集水桝１０１と、隣接する集水桝間において道路の縦断方向に沿って埋設された複数の台付管（高強度管）１０２と、前記集水桝１０１に接続されており当該集水桝１０１内の雨水を外部に流出させるための流末管１０３と、前記集水桝１０１内に配設されたオーバーフロー機構１４０とを備えている。なお、図１２又は図１４において、Ｍは集水桝１０１の上部開口を閉止するマンホールである。
【００３９】
前記オーバーフロー機構１４０は、前記集水桝１０１内に立設されており、上端にオーバーフロー皿１４１を有する縦管１４２と、この縦管１４２の下部に形成され、前記流末管１０３が接続される流出口１４３とを備えている。また、前記複数の台付管１０２の内部と、当該複数の台付管１０２の下流側に設けられる集水桝１０１内の前記縦管１４２内部とが配管１２０により連通状態にされている。より詳細には、複数の台付管１０２のうち最も下流側の台付管１０２ｅの端部は蓋体１１５で閉止されており、この蓋体１１５に形成された開口部に第１接続管１２１の一端が接続されており、この第１接続管１２１の他端は集水桝１０１に形成された開口部に接続されている。また、前記集水桝１０１の開口部に第２接続管１２２の一端が接続されており、この第２接続管１２２の他端は前記オーバーフロー機構１４０を構成する縦管１４２の流入口に接続されている。前記第１接続管１２１及び第２接続管１２２からなる配管１２０により、前記複数の台付管１０２の内部と、当該複数の台付管１０２の下流側に設けられる集水桝１０１内の前記縦管１４２内部とが連通状態にされている。
【００４０】
前記第２接続管１２２と前記縦管１４２との接続部にはオリフィス部を構成する開口（孔）１４５が設けられており、河川などへの雨水の排出速度を調整することができるようになっている。
【００４１】
つぎに、図１５〜１９を参照しつつ、前述した他の実施の形態に係る雨水貯留システムの使用状態を説明する。
雨が降り始めると、道路の車道上の雨水は、歩車道境界ブロック１０４の車道側側面下端に形成された集水スリット１０８及び当該歩車道境界ブロック１０４内において道路の縦断方向に沿って配設された集水管１０９（図１４及び図１６参照）を経由して集水桝１０１内に流入し、この集水桝１０１を経由して当該集水桝１０１の下流側に配設されている台付管１０２内に流れ込む。
【００４２】
そして、台付管１０２内に流れ込んだ雨水は、図１５に示されるように、当該台付管１０２のうち最下流の台付管１０２ｅに接続された第１接続管１２１及びこの第１接続管１２１と集水桝１０１内の縦管１４２とを接続する第２接続管１２２を経由して、前記縦管１４２内に流れ込み、さらにこの縦管１４２に接続された流末管１０３を経由して河川又は下水に排出される。このとき、本実施の形態では、図１６に示されるように、前記第２接続管１２２と縦管１４２との接続部にオリフィス部を構成する開口（孔）１４５が設けられているので、前記河川などへの雨水の排出速度を調整することができる。
【００４３】
集水桝１０１に流入する雨水の量が増えると、やがて台付管１０２内は満水状態になる（図１７参照）。このとき、下流側の台付管１０２には、水圧が作用するが、当該台付管１０２が高強度の管であることから、強度的に何ら問題はない。
さらに雨水の量が増えると、図１８に示されるように、集水桝１０１内に流入した雨水は、オーバーフロー機構１４０を構成する縦管１４２上部のオーバーフロー皿１４１より直接縦管１４２内に流入し、当該縦管１４２に接続された流末管１０３へ流れ込み、河川又は下水に排出される。したがって、集水桝１０１内が一杯になり溢れた雨水によって道路が冠水されるようなことはない。
【００４４】
そして、小雨になるか、又は降雨が終了すると、図１９に示されるように、台付管１０２内の雨水は、徐々に配管１２０及び流末管１０３を経由して河川又は下水に排出され、やがて台付管１０２は空になる。
なお、前述した実施の形態では、歩車道境界ブロック４に集水スリット８を形成し、集水桝１上部に嵌め込まれたグレーチング蓋１０とともに、前記集水スリット８及び集水管９を介して雨水を集水桝１内に導入しているが、前記集水スリット８及び集水管９が省略された道路Ｒにおいても、本発明の雨水貯留システムを適用することができる。
【００４５】
また、オリフィス部として、前記円すい形状のオリフィス本体以外にも、孔が形成された円盤状のオリフィス本体を採用することもでき、本発明におけるオリフィス部は、オリフィスとしての機能を有するかぎり、特に限定されるものではない。
また、前記集水桝１及び／又は台付管２に、雨水を地中に浸透させるための直径５０〜１００ｍｍ程度の孔（透水口）を複数形成することができる。この場合、前記孔より集水桝１や台付管２内の雨水を地中に浸透させることができ、河川などへの雨水排出量を減らすことができる。
さらに、前述した実施の形態では、雨水を貯留する手段として、台付管などのプレキャスト高強度管を採用しているが、本発明はこれに限定されるものではなく、カルバートなどのプレキャスト高強度函を採用することもできる。
【図面の簡単な説明】
【００４６】
【図１】本発明の雨水貯留システムの一実施の形態の平面説明図である。
【図２】図１のＡ−Ａ線断面図である。
【図３】図１のＢ−Ｂ線断面図である。
【図４】図１のＣ−Ｃ線断面図である。
【図５】台付管の軸方向断面説明図である。
【図６】２本の台付管の接続状態を示す図である。
【図７】接続管の端部に配設されるオリフィス部の断面説明図である。
【図８】台付管の対向面を接続管により接続することで、地中に埋設された干渉物を回避する状態を説明する図である。
【図９】傾斜地における台付管の設置状態を説明する図である。
【図１０】集水桝内に配設されるオーバーフロー機構を示しており、（ａ）は正面説明図、（ｂ）は側面説明図である。
【図１１】オーバーフロー時におけるオーバーフロー機構の側面説明図である。
【図１２】本発明の雨水貯留システムの他の実施の形態の平面説明図である。
【図１３】図１２に示される雨水貯留システムの側面説明図である。
【図１４】図１２に示される雨水貯留システムの集水桝部分の断面説明図である。
【図１５】図１２に示される雨水貯留システムの使用状態説明図である。
【図１６】図１２に示される雨水貯留システムの使用状態説明図である。
【図１７】図１２に示される雨水貯留システムの使用状態説明図である。
【図１８】図１２に示される雨水貯留システムの使用状態説明図である。
【図１９】図１２に示される雨水貯留システムの使用状態説明図である。
【符号の説明】
【００４７】
１      集水桝
２      台付管
３      流末管
４      歩車道境界ブロック
５      車道
６      歩道
７      エプロン部
８      集水スリット
９      集水管
１０      グレーチング蓋
１１      台部
１１ａ    平坦面
１４      開口部
１５      蓋体
１７      固定具
１８      接続管
２０      オリフィス部
２１      オリフィス本体
３０      オリフィス部
３１      オリフィス本体
３４      孔
４０      オーバーフロー機構
４１      オーバーフロー皿
４２      縦管
４３      流出管
４４      流入管
４５      孔
４６      蓋
１０１    集水桝
１０２    台付管
１０３    流末管
１０４    歩車道境界ブロック
１０８    集水スリット
１０９    集水管
１２０    配管
１２１    第１接続管
１２２    第２接続管
１４０    オーバーフロー機構
１４１    オーバーフロー皿
１４２    縦管
１４５    開口
Ｓ      システム
Ｒ      道路
【図１】
2008267023.tif 000003
【図２】
2008267023.tif 000004
【図３】
2008267023.tif 000005
【図４】
2008267023.tif 000006
【図５】
2008267023.tif 000007
【図６】
2008267023.tif 000008
【図７】
2008267023.tif 000009
【図８】
2008267023.tif 000010
【図９】
2008267023.tif 000011
【図１０】
2008267023.tif 000012
【図１１】
2008267023.tif 000013
【図１２】
2008267023.tif 000014
【図１３】
2008267023.tif 000015
【図１４】
2008267023.tif 000016
【図１５】
2008267023.tif 000017
【図１６】
2008267023.tif 000018
【図１７】
2008267023.tif 000019
【図１８】
2008267023.tif 000020
【図１９】
2008267023.tif 000021